(57)【特許請求の範囲】
【請求項１】
ベルマウス（６）を備え、かつ当該送風機（５）の空気吹出し側周方向の流れが非軸対称の流れとなる通路構造の空気吹出通路（１１），（１２）に適用される送風機（５）において、上記ベルマウス（６）の形状は、上記送風機（５）の空気吹出し側周方向の非軸対称の流れに対応し、空気吹出し側周方向の通風抵抗の大きさに応じて、空気吸込側方向に高さ（Ｌ）が高くなるように変形されていることを特徴とする送風機。
【請求項２】
ベルマウス（６）を備え、かつ当該送風機（５）の空気吹出し側周方向の流れが非軸対称の流れとなる通路構造の空気吹出通路（１１），（１２）に適用される送風機（５）において、上記ベルマウス（６）の形状は、上記送風機（５）の空気吹出し側周方向の非軸対称の流れに対応し、空気吹出し側周方向の通風抵抗の大きい部分に対応して空気吸込側方向に部分的に高さ（Ｌ）が高くなるように変形されていることを特徴とする送風機。
【請求項３】
ベルマウス（６）を備え、かつ当該送風機（５）の空気吹出し側周方向の流れが非軸対称の流れとなる通路構造の空気吹出通路（１１），（１２）に適用される送風機（５）において、上記ベルマウス（６）の形状は、上記送風機（５）の空気吹出し側周方向の非軸対称の流れに対応し、空気吹出し側周方向の通風抵抗の大きさに応じて空気吸込側方向に連続的に高さ（Ｌ）が高くなるように変形されていることを特徴とする送風機。
【請求項４】
ベルマウス（６）を備え、かつ当該送風機（５）の空気吹出し側周方向の流れが非軸対称の流れとなる通路構造の空気吹出通路（１１），（１２）に適用される送風機（５）において、上記ベルマウス（６）の形状は、上記送風機（５）の空気吹出し側周方向の非軸対称の流れに対応し、空気吹出し側周方向の通風抵抗の大きさに応じて空気吸込用開口部（６ａ）部分の曲率半径（Ｒ）が変わるように変形されていることを特徴とする送風機。
【請求項５】
ベルマウス（６）を備え、かつ当該送風機（５）の空気吹出し側周方向の流れが非軸対称の流れとなる通路構造の空気吹出通路（１１），（１２）に適用される送風機（５）において、上記空気吹出し側周方向の流れが非軸対称となる通路構造の空気吹出通路（１１），（１２）が、箱形の本体ケーシング（１）と、該本体ケーシング（１）の前面側に設けられた空気吸込口（３）と、該空気吸込口（３）の内側に設けられた熱交換器（４）と、該熱交換器（４）の背後にベルマウス（６）を介して設けられた送風機（５）とを備えてなる空気調和機の上記送風機（５）の背後に位置して、下方から上方側に向けて設けられた空気吹出通路（１１），（１２）であり、該空気吹出通路（１１），（１２）は、セパレータ（１０）を備え、該セパレータ（１０）によって分割された、送風機（５）から上方に向けて吹き出される空気を上方側に吹き出す第１の空気吹出通路（１１）と上記送風機（５）から下方に向けて吹き出される空気を上方側に向けて導出する第２の空気吹出通路（１２）との２つの通路よりなることを特徴とする送風機。
【請求項６】
空気吹出し側周方向の流れが非軸対称となる通路構造の空気吹出通路（１１），（１２）が、箱形の本体ケーシング（１）と、該本体ケーシング（１）の前面側に設けられた空気吸込口（３）と、該空気吸込口（３）の内側に設けられた熱交換器（４）と、該熱交換器（４）の背後にベルマウス（６）を介して設けられた送風機（５）とを備えてなる空気調和機の上記送風機（５）の背後に位置して、下方から上方側に向けて設けられた空気吹出通路（１１），（１２）であることを特徴とする請求項１，２，３又は４記載の送風機。
【請求項７】
空気吹出通路（１１），（１２）は、セパレータ（１０）を備え、該セパレータ（１０）によって分割された、送風機（５）から上方に向けて吹き出される空気を上方側に吹き出す第１の空気吹出通路（１１）と上記送風機（５）から下方に向けて吹き出される空気を上方側に向けて導出する第２の空気吹出通路（１２）との２つの通路よりなることを特徴とする請求項６記載の送風機。
【請求項８】
送風機（５）が、斜流ファン（５）であることを特徴とする請求項１，２，３，４，５，６又は７記載の送風機。
【請求項９】
送風機（５）が、軸流ファンであることを特徴とする請求項１，２，３，４，５，６又は７記載の送風機。
【発明の詳細な説明】
【０００２】
【発明の属する技術分野】
【０００３】
本願発明は、空気調和機その他の空気吹出側周方向の流れが軸対称とならない送風機の構造に関するものである。
【従来の技術】
【０００４】
従来の空気調和機（室外機および室内機）の中には、例えば箱形の本体ケーシングの前面に空気吸込口を設けるとともに上面側に空気吹出口を設け、内側に設けた軸流ファン、遠心ファンなどの送風機により上記前面側の空気吸込口から吸込んだ空気を熱交換器を介して上記本体ケーシング上面側の空気吹出口から上方に向けて吹き出すようにしたものがある。
【０００５】
このような空気調和機（室外機）の構造の一例を図１6および図１7に示す。
【０００６】
図中、符号１は当該空気調和機の本体ケーシングであり、該本体ケーシング１は前後方向に薄く、左右方向の幅よりも上下方向の長さが少し長い箱型形状のものに構成されている。そして、その前面側には向かって右側の機械室２（２Ａは圧縮機）に対応する部分を除いて略全面に空気吸込口３が形成され、該空気吸込口３の内側には空気熱交換器４が、その全面に対応して設けられている。
【０００７】
上記空気吸込口３は、上記空気熱交換器４の背後に位置して設けられた斜流ファン５のベルマウス６の空気吸込用開口部６ａからファンガイド口６ｂ方向に略水平に連続している。そして、上記ベルマウス６のファンガイド口部６ｂ内に例えば斜流ファン５の翼部５ａが回転可能に設けられ、そのハブ部５ｂがファンモータ７のモータ軸７ａを介して軸支されている。またベルマウス６は、縦壁構造の仕切板１６に取付けられている。
【０００８】
ファンモータ７は、上記本体ケーシング１の背面板１ａの略中央部に取付けられている。また、上記斜流ファン５と背面板１ａとの間には、図示のように、上記ベルマウス６および仕切板１６と上記背面板１ａの間で上記ベルマウス６の空気吹出用開口部６ｃから上方側へ延びる空気吹出通路１１が形成されている。
【０００９】
そして、上記本体ケーシング１の上面１ｂには、該空気吹出通路１１に対応した空気吹出口１３が設けられている。
【００１０】
したがって、該構成では、上記斜流ファン５が回転駆動されると、該斜流ファン５により上記空気吸込口３から空気が吸込まれ、空気熱交換器４および斜流ファン５を介して外周方向に略均等に吹出され、その吹出流が上記空気吹出通路１１から上面側空気吹出口１３の上方に吹出される。
【００１１】
そして、上記従来の斜流ファン５のベルマウス６では、例えば図２３に詳細に示すように、その空気吸込用開口部６ａから空気吹出用開口部６ｃに到る全体の高さＬおよび曲率半径Ｒが一定（Ｌ1＝Ｌ2，Ｒ1＝Ｒ2）の所謂軸対称形状のものが使用されていた（例えば特開平５−４４６９４号公報の図４の構成を参照）。
【発明が解決しようとする課題】
【００１２】
ところが、上記空気調和機のような空気吹出側通風路の周方向の領域の内、下方側への空気吹出領域が閉塞し、上方側への空気吹出領域のみが開放された本体ケーシング１において上記のような軸対称形のベルマウス６を用いると、上記通風抵抗が大きい下方側閉塞部では翼５ａの先端とベルマウス６の空気吸込み用開口部６ａとの間で逆流を生じる問題がある。
【００１３】
今例えば、上記図１６および図１７のような室外機本体ケーシング１内の斜流ファン５において、その送風領域がベルマウス６および仕切板１６により高静圧側と低静圧側に分けられる場合、その翼５ａ内を流れる流れのパターンと風量との間には、一般に次に示すような関係があるとされている。
【００１４】
すなわち、該翼部５ａ内における流れのパターンは、その風量を増大させるにつれて、例えば図２０〜図２２の矢線のように変化する。つまり小風量時には、流れはハブ５ｂ側から外周方向に向かい、翼５ａの先端とベルマウス６の空気吸込用開口部６ａ側との間に逆流領域が生じやすい（図２０参照）。一方、大風量時には、流れは外周方向からハブ５ｂに向かう傾向がある（図２２参照）。これらに対して、平均風量である中風量時には、安定した流れとなる（図２１参照）。
【００１５】
したがって、静圧分布が全周方向に同一である場合は、上記ベルマウス６の高さＬを周方向に均一に（軸対称形を保ったまま）変化させ逆流の発生を防止することにより送風騒音の増加を防ぐことができる。
【００１６】
しかし、上述のような、空気吹出し側周方向の少なくとも一方向側が閉塞されている本体ケーシング等の箱体の中の空気吹出通路１１に対して斜流ファン５を用いた場合、空気吹出し側が塞がれている下方側通路部分では通風抵抗が大きくなる。逆に、空気吹出し側が開放されている上方側部分では通路抵抗が小さくなる。すなわち、空気吹出し側周方向の静圧分布が一様ではなくなり、部分的に高静圧部と低静圧部ができる。そのため、上記図２１のような平均風量時と比べて、空気吹出し側周方向の高静圧部では風量が小さくなる一方、空気吹出し側周方向の低静圧部では風量が大きくなる。この時、上記斜流ファン５の翼５ａ内の流れをみると、上述の図２０の場合と同じように、上記空気吹出し側高静圧部（下方側領域）では翼５ａの先端とベルマウス６の空気吸込み用開口部６ａとの間には逆流領域が生じ、送風騒音が平均値と比べて相対的に大きくなる。
【００１７】
このような問題に関連し、例えば図１８および図１９に示すように、上記構成の斜流ファン５と背面板１ａとの間に、下方側に所定幅の隙間９を残して上記本体ケーシング１の上面１ｂ付近まで延びるセパレータ１０を設け、該セパレータ１０によって上記ベルマウス６および仕切板１６と上記背面板１ａの間に上記ベルマウス６の空気吹出用開口部６ｃから上方側へ延びる第１の空気吹出通路１１ａと上記ベルマウス６の空気吹出用開口部６ｃから一旦下方に延び、その後、上記セパレータ１０下方の隙間９から上方側へ延びる第２の空気吹出通路１２ａとを形成するとともに、上記本体ケーシング１の上面１ｂに、これら第１，第２の空気吹出通路１１ａ，１２ａに対応した第１，第２の空気吹出口１３ａ，１４ａを設けることによって、上記逆流を生じやすい下方側への吹出空気を第２の空気吹出通路１２ａによって可及的スムーズに上方側に導出するようにすることも行われている。
【００１８】
しかし、このような構成を採用したとしても、上記のような事情によって生じる逆流を十分に防止することはできない。
【００１９】
本願発明は、以上のような問題を解決するためになされたもので、空気吹出し側周方向の所定の領域の通路抵抗が高い送風通路に適用される送風機において、上記空気吹出し側の非軸対称な流れに応じて適切に変形された非軸対称形状のベルマウスを用いることによって同問題を解決した送風機を提供することを目的とするものである。
【課題を解決するための手段】
【００２０】
本願各発明は、上記の目的を達成するために、次のような課題解決手段を備えて構成されている。
【００２１】
（１）  請求項１の発明
この発明の送風機は、ベルマウス６を備え、かつ空気吹出し側の周方向の流れが非軸対称の流れとなる空気吹出通路１１，１２に適用される送風機５において、上記ベルマウス６の形状は、上記空気吹出し側周方向の非軸対称の流れに対応し、空気吸込側方向に高さＬを高くするように変形されていることを特徴とするものである。
【００２２】
したがって、上記ベルマウス６の変形により、送風機５の翼５ａ内の流れのパターンを、上記空気吹出通路１１，１２側の通風抵抗の分布パターンに対応したものにすることができ、逆流を生じにくくすることができる。
【００２３】
その場合において、特に上記のように、空気吸込側方向にベルマウス６の高さＬを高くすると、該高さＬの高い部分での空気の流速が向上し、効果的に逆流を生じにくくすることができる。
【００２４】
（２）  請求項２の発明
この発明の送風機は、ベルマウス６を備え、かつ空気吹出し側の周方向の流れが非軸対称の流れとなる空気吹出通路１１，１２に適用される送風機５において、上記ベルマウス６の形状は、上記空気吹出し側周方向の非軸対称の流れに対応し、空気吸込側方向に部分的に高さＬを高くするように変形されていることを特徴とするものである。
【００２５】
したがって、上記ベルマウス６の変形により、送風機５の翼５ａ内の流れのパターンを、上記空気吹出通路１１，１２側の通風抵抗の分布パターンに対応したものにすることができ、逆流を生じにくくすることができる。
【００２６】
その場合において、特に上記のように、空気吸込側方向にベルマウス６の高さＬを部分的に高くすると、該高さＬの高い部分での空気の流速が向上し、効果的に逆流を生じにくくすることができる。
【００２７】
（３）  請求項３の発明
この発明の送風機は、ベルマウス６を備え、かつ空気吹出し側の周方向の流れが非軸対称の流れとなる空気吹出通路１１，１２に適用される送風機５において、上記ベルマウス６の形状は、上記空気吹出し側周方向の非軸対称の流れに対応し、空気吸込側方向に連続的に高さＬを高くするように変形されていることを特徴とするものである。
【００２８】
したがって、上記ベルマウス６の変形により、送風機５の翼５ａ内の流れのパターンを、上記空気吹出通路１１，１２側の通風抵抗の分布パターンに対応したものにすることができ、逆流を生じにくくすることができる。
【００２９】
その場合において、特に上記のように、ベルマウス６の高さＬを空気吸込側方向に連続的に高くすると、該高さＬの高い部分での空気の流速が向上し、効果的に逆流を生じにくくすることができる。
【００３０】
（４）  請求項４の発明
この発明の送風機は、ベルマウス６を備え、かつ空気吹出し側の周方向の流れが非軸対称の流れとなる空気吹出通路１１，１２に適用される送風機５において、上記ベルマウス６の形状は、上記空気吹出し側周方向の非軸対称の流れに対応し、空気吸込用開口部６ａ部分の曲率半径Ｒが変わるように変形されていることを特徴とするものである。
【００３１】
したがって、上記ベルマウス６の変形により、送風機５の翼５ａ内の流れのパターンを、上記空気吹出通路１１，１２側の通風抵抗の分布パターンに対応したものにすることができ、逆流を生じにくくすることができる。
【００３２】
その場合において、特に上記のように、空気吸込側方向にベルマウス６の空気吸込用開口部６ａ部分の曲率半径Ｒを変えるように変形されていると、該部分での空気の吸込流速を可変することが可能となり、効果的に逆流を生じにくくすることができる。
【００３３】
（５）  請求項５の発明
この発明の送風機は、ベルマウス６を備え、かつ空気吹出し側の周方向の流れが非軸対称の流れとなる空気吹出通路１１，１２に適用される送風機５において、上記空気吹出し側周方向の流れが非軸対称となる通路構造の空気吹出通路１１，１２が、箱形の本体ケーシング１と、該本体ケーシング１の前面側に設けられた空気吸込口３と、該空気吸込口３の内側に設けられた熱交換器４と、該熱交換器４の背後にベルマウス６を介して設けられた送風機５とを備えてなる空気調和機の上記送風機５の背後に位置して、下方から上方側に向けて設けられた空気吹出通路１１，１２であり、該空気吹出通路１１，１２は、セパレータ１０を備え、該セパレータ１０によって分割された、送風機５から上方に向けて吹き出される空気を上方側に吹き出す第１の空気吹出通路１１と上記送風機５から下方に向けて吹き出される空気を上方側に向けて導出する第２の空気吹出通路１２との２つの通路よりなることを特徴とするものである。
【００３４】
したがって、該構成では、上記のような下方側が閉塞される一方、上方側が開放された上記空気調和機の箱形の本体ケーシング１内における当該送風機の空気吹出し側の周方向の流れが非軸対称の流れとなる通路構造の空気吹出通路１１，１２において、上記ベルマウス６の形状を、上記空気吹出し側周方向の非軸対称の流れのパターン、すなわち空気吹出通路１１，１２の通風抵抗の分布パターンに対応したものにすることができ、上述の各場合と同じように、効果的に逆流を生じにくくすることができる。
【００３５】
しかも、その場合において、さらに上記空気吹出通路１１，１２が、セパレータ１０を備え、該セパレータ１０によって分割された、送風機５から上方に向けて吹き出される空気を上方側に吹き出す第１の空気吹出通路１１と上記送風機５から下方に向けて吹き出される空気を上方側に向けて導出する第２の空気吹出通路１２との２つの通路から形成されている。
【００３６】
したがって、上記ベルマウス６の形状を上記空気吹出し側周方向の非軸対称の流れに対応させて変形したことにより、送風機５の翼５ａ内の流れのパターンを空気吹出通路１１，１２側の通風抵抗の分布パターンに対応したものにして、逆流を生じにくくすることができることに加え、さらに上記セパレータ１０により分割して形成された第２の空気吹出通路１２の空気導出作用が生じるので、より逆流が生じにくくなる。
【００３７】
（６）  請求項６の発明
この発明の送風機は、上記請求項１，２，３又は４の発明の構成における空気吹出し側周方向の流れが非軸対称となる通路構造の空気吹出通路１１，１２が、箱形の本体ケーシング１と、該本体ケーシング１の前面側に設けられた空気吸込口３と、該空気吸込口３の内側に設けられた熱交換器４と、該熱交換器４の背後にベルマウス６を介して設けられた送風機５とを備えてなる空気調和機の上記送風機５の背後に位置して、下方から上方側に向けて設けられた空気吹出通路１１，１２であることを特徴としている。
【００３８】
したがって、該構成では、上記のような下方側が閉塞される一方、上方側が開放された上記空気調和機の箱形の本体ケーシング１内における当該送風機の空気吹出し側の周方向の流れが非軸対称の流れとなる通路構造の空気吹出通路１１，１２において、上記ベルマウス６の形状を、上記空気吹出し側周方向の非軸対称の流れのパターン、すなわち空気吹出通路１１，１２の通風抵抗の分布パターンに対応したものにすることができ、上述の各場合と同じように、効果的に逆流を生じにくくすることができる。
【００３９】
（７）  請求項７の発明
この発明の送風機は、上記請求項６の発明の構成において、さらに上記空気吹出通路１１，１２が、セパレータ１０を備え、該セパレータ１０によって分割された、送風機５から上方に向けて吹き出される空気を上方側に吹き出す第１の空気吹出通路１１と上記送風機５から下方に向けて吹き出される空気を上方側に向けて導出する第２の空気吹出通路１２との２つの通路から形成されていることを特徴としている。
【００４０】
したがって、上記請求項６の発明と同様に上記ベルマウス６の形状を上記空気吹出し側周方向の非軸対称の流れに対応させて変形することにより、送風機５の翼５ａ内の流れのパターンを空気吹出通路１１，１２側の通風抵抗の分布パターンに対応したものにすることができ、逆流を生じにくくすることができることに加え、さらに上記セパレータ１０により分割して形成された第２の空気吹出通路１２の空気導出作用が生じるので、より逆流が生じにくくなる。
【００４１】
（８）  請求項８の発明
この発明の送風機は、上記請求項１，２，３，４，５，６又は７の発明の構成における送風機５が斜流ファン５よりなっていることを特徴としている。
【００４２】
したがって、同請求項１，２，３，４，５，６又は７の発明それぞれの構成において、送風機５として周方向に空気が吹き出される斜流ファン５を採用した時に、上記ベルマウス６の形状を上記空気吹出し側周方向の非軸対称の流れに対応させて変形することにより、当該斜流ファン５の翼５ａ内の流れのパターンを上記空気吹出通路１１，１２側の通風抵抗の分布パターンに対応したものにすることができ、逆流を生じにくくすることができる。
【００４３】
（９）  請求項９の発明
この発明の送風機は、上記請求項１，２，３，４，５，６又は７の発明の構成における送風機５が軸流ファンよりなっていることを特徴としている。
【００４４】
したがって、同請求項１，２，３，４，５，６又は７の発明それぞれの構成において、送風機５として軸方向に空気が吹き出される軸流ファンを採用した時に、上記ベルマウス６の形状を上記空気吹出し側周方向の非軸対称の流れに対応させて変形することにより、当該軸流ファンの翼内の流れのパターンを上記空気吹出通路１１，１２側の通風抵抗の分布パターンに対応したものにすることができ、逆流を生じにくくすることができる。
【発明の効果】
【００４５】
以上の結果、本願発明の送風機によると、有効に部分的な逆流の発生を防止することができるので、ファン自体の所要回転数が低下し、送風騒音が低下する。
【発明の実施の形態】
【００４６】
（実施の形態１）
図１〜図５は、本願発明の送風機を適用して構成した本願発明の実施の形態１に係る空気調和機用室外機の構成を示している。
【００４７】
図中、符号１は当該室外機の本体ケーシングであり、該本体ケーシング１は前後方向に薄く、左右方向の幅よりも上下方向の長さが少し長い箱型形状のものに構成されている。そして、その前面側には向かって右側の機械室２（２Ａは圧縮機）部分を除いて略全面に空気吸込口３が形成され、該空気吸込口３の内側には空気熱交換器４が、その全面に対応して設けられている。
【００４８】
上記空気吸込口３は、上記空気熱交換器４の背後に位置して設けられた斜流ファン５のベルマウス６の空気吸込用開口部６ａからファンガイド口部６ｂ方向に略水平に連続している。そして、上記ベルマウス６のファンガイド口部６ｂ内に斜流ファン５の翼部５ａが回転可能に設けられ、そのハブ部５ｂがファンモータ７のモータ軸７ａを介して軸支されている。またベルマウス６は、縦壁構造の仕切板１６に取付けられている。
【００４９】
ファンモータ７は、上記本体ケーシング１の背面板１ａの略中央部に取付けられている。また、上記斜流ファン５と背面板１ａとの間には、図示のように、下方側に所定幅の隙間９を残して上記本体ケーシング１の上面１ｂ付近まで延びるセパレータ１０が設けられており、該セパレータ１０によって上記ベルマウス６および仕切板１６と上記背面板１ａの間で上記ベルマウス６の空気吹出口６ｃから上方側へ延びる第１の空気吹出通路１１ａと上記ベルマウス６の空気吹出口６ｃから一旦下方に延び、その後、上記セパレータ１０下方の隙間９から上方側へ延びる第２の空気吹出通路１２ａとを形成している。
【００５０】
そして、上記本体ケーシング１の上面１ｂから側面部には、これら第１，第２の空気吹出通路１１ａ，１２ａに対応した第１，第２の空気吹出口１３ａ，１４ａが設けられている。
【００５１】
したがって、該構成では、上記斜流ファン５が回転駆動されると、該斜流ファン５により上記空気吸込口３から空気が吸込まれ、空気熱交換器４および斜流ファン５を介して下方側への吹出風を除く吹出流が上記第１の空気吹出通路１１ａから第１の空気吹出口１３ａの上方に、他方下方側への吹出風が上記セパレータ１０下方の隙間９を介して上記第２の空気吹出通路１２ａから第２の空気吹出口１４ａの上方に、各々吹出されるようになる。
【００５２】
ところで、上記ベルマウス６は、上記のような空気吹出側の下方側が閉塞し、上方側が開放した本体ケーシング１内において上記斜流ファン５から吹き出された吹出流が上記下方側閉塞部の空気吸込領域部分で逆流状態となるのを防止するために、例えば図３および図４に詳細に示されるように空気吸込口３方向へ所定寸法ΔＬ（ΔＬ＝Ｌ2−Ｌ1）突出したアール面形状の凸部１５を設けている。この凸部１５は、例えば上記斜流ファン５の下方側への吹出領域において上記斜流ファン５の上下方向中心軸に対して左右に３０°（全体として６０°）の範囲に設けられている。
【００５３】
このように、本体ケーシング１内の斜流ファン５と空気吹出口１３ａ，１４ａとの位置関係により、その翼部５ａ内の流れのパターンが上下方向で異なるような場合、上記のように凸部１５を設けることによりベルマウス６の形状を、その位置での流れのパターンに応じて変化させ、上記ベルマウス６全体の形状を非軸対称の形状にすると、通風抵抗が大きい第２の空気吹出通路１２ａ側への流れがスムーズになって逆流の発生を防止することができ、送風時の騒音を低減することができる。
【００５４】
今例えば、上記ベルマウス６の空気吹出用開口部６ｃ側から空気吸込用開口部６ａ側への高さＬを上方側がＬ1、下方側（凸部１５の高さ）がＬ2として、図１、図６、図７に示すように、中心軸Ｏ−Ｏ′下方から反時計方向に０°，４５°，±９０°に順次位置を変えて各々上記のように約６０度の範囲で凸部１５を設け、該凸部１５の高さＬ2を上記上方側の高さＬ1よりも３３％（Ｌ1＝６０ｍｍ、Ｌ2＝６０×０．３３≒８０ｍｍ、ΔＬ＝２０ｍｍ）高くしたベルマウス６を用いて、その効果を確認した。
【００５５】
その結果、例えば図８、図９に示すように、上記本体ケーシング１下方側部分のベルマウス６の高さＬをＬ1からＬ2に大きくして逆流発生防止策を試みた場合、従来の図１４，図１５および図１６、図１７のような軸対称形のベルマウスを用いた場合に比べて、その何れの場合にもファンの回転数および騒音が低下するが、特に本実施の形態（０°）のものではファンの回転数が２％低下し、かつ送風騒音が０．７ｄＢＡ低下し、最も低下量が大きかった。また、同図１、図６、図７のように上記ベルマウス６の高さＬを増大させる中心位置を順次上方（中心軸下方位置＝０°→４５°→９０°）側へ移動させると、上方側に移動するにつれて、その効果は減少する（図８参照）。従って、凸部１５を設ける位置としては、上述の図１および図３に示すような中心軸Ｏ−Ｏ′下方位置（０°）が効果的である。そして、上記逆流防止の効果が大きいときほど翼部５ａの回転数が減少し、送風音低下の効果が大きいことが確認された。
【００５６】
なお、以上の構成におけるセパレータ１０は、さらに下端部に空気流導出用のアール面を設けることもでき、そのようにすると、より上方側への空気導出作用が向上する。
【００５７】
（実施の形態２）
図１０および図１１は、本願発明の送風機を適用して構成した本願発明の実施の形態２に係る空気調和機用室外機の構成を示している。この実施の形態では、空気吹出口が本体ケーシング１の上面側だけに限定されており、それに対応してベルマウス６下部の略全体（略１６０°の範囲）に凸部１５を設けたことを特徴とするものである。
【００５８】
図中、符号１は当該室外機の本体ケーシングであり、該本体ケーシング１は前後方向に薄く、左右方向の幅よりも上下方向の長さが少し長い箱型形状のものに構成されている。そして、その前面側には向かって右側の機械室２部分を除いて略全面に空気吸込口３が形成され、該空気吸込口３の内側には空気熱交換器４が、その全面に対応して設けられている。
【００５９】
上記空気吸込口３は、上記空気熱交換器４の背後に位置して設けられた斜流ファン５のベルマウス６の空気吸込用開口部６ａからファンガイド口部６ｂ方向に略水平に連続している。そして、上記ベルマウス６のファンガイド口部６ｂ内に斜流ファン５の翼部５ａが回転可能に設けられ、そのハブ部５ｂがファンモータ７のモータ軸７ａを介して軸支されている。またベルマウス６は、縦壁構造の仕切板１６に取付けられている。
【００６０】
ファンモータ７は、上記本体ケーシング１の背面板１ａの略中央部に取付けられている。また、上記斜流ファン５と背面板１ａとの間には、図示のように、上記ベルマウス６および仕切板１６と上記背面板１ａの間で上記ベルマウス６の空気吹出用開口部６ｃから上方側へ延びる空気吹出通路１１が形成されている。
【００６１】
そして、上記本体ケーシング１の上面１ｂのみには、空気吹出通路１１に対応した空気吹出口１３が設けられている。
【００６２】
したがって、該構成では、上記斜流ファン５が回転駆動されると、該斜流ファン５により上記空気吸込口３から空気が吸込まれ、空気熱交換器４および斜流ファン５を介して下方側への吹出風を含む吹出流が上記空気吹出通路１１から空気吹出口１３の上方に、吹出されるようになる。
【００６３】
そして、この実施の形態の場合、上記ベルマウス６の略下部全体（略１６０°の範囲）には、上記のような空気吹出側の下方側が閉塞し、本体ケーシング１の上面側のみが開放した本体ケーシング１内において上記斜流ファン５の翼５ａの先端と上記ベルマウス６の空気吸込み用開口部６ａとの間に逆流領域が生じるのを防止するために、例えば図１０および図１１から理解されるように、上記実施の形態１のものと同様に上記空気吸込口３方向へ所定寸法ΔＬ突出したアール面形状の凸部１５が設けられている。この凸部１５の設置領域略１６０°は、例えば上記斜流ファン５の下方側への吹出領域に対応している。
【００６４】
このように、本体ケーシング１内の斜流ファン５と空気吹出口１３との位置関係により、その翼部５ａ内の流れのパターンが上下方向で異なるような場合、上記のように凸部１５を設けることによりベルマウス６の形状を、その位置での流れのパターンに応じて変化させ、上記ベルマウス６全体の形状を非軸対称形にすると、通風抵抗が大きい空気吹出通路１１下方側からの流れがスムーズになって逆流の発生を防止することができ、送風時の騒音を低減することができる。
【００６５】
なお、この実施の形態では、上記斜流ファン５と背面板１ａとの間には、前述の実施の形態１のように、下方側に所定幅の隙間９を残して上記本体ケーシング１の上面１ｂ付近まで延びるセパレータ１０が設けられていないが、もちろん該実施の形態においても、同様のセパレータ１０を設け、該セパレータ１０によって上記ベルマウス６および仕切板１６と上記背面板１ａの間で上記ベルマウス６の空気吹出口６ｃから上方側へ延びる第１の空気吹出通路１１ａと上記ベルマウス６の空気吹出口６ｃから一旦下方に延び、その後、上記セパレータ１０下方の隙間９から上方側へ延びる第２の空気吹出通路１２ａとを形成するようにしても良いことは言うまでもない。
【００６６】
（実施の形態３）
図１２は、本願発明の送風機を適用して構成した本願発明の実施の形態３に係る空気調和機用室外機の構成を示している。
【００６７】
ところで、前述のような空気吹出側の下方側が閉塞し、上方側が開放した本体ケーシング１内の下方側閉塞部において上記斜流ファン５の翼５ａの先端と上記ベルマウス６の空気吸込み用開口部６ａとの間に逆流領域が生じるのを防止するための手段としては、上記実施の形態１，２のように、上記斜流ファン５の下方側への吹出領域に対応して、空気吸込口３方向へ所定寸法突出したアール面形状の凸部１５を設けるだけでなく、例えば図１２に示すように、ベルマウス６全体の高さＬを上部側から下部側に連続的に高くすることによっても実現することができる。
【００６８】
このように、本体ケーシング１内の斜流ファン５と空気吹出口１３，１４との位置関係により、その翼部５ａ内の流れのパターンが上下方向で異なるような場合において、上記のようにベルマウス６の高さを連続的に変化させ、上部側よりも下部側の方を高くすることにより、その位置での流れのパターンに応じて変化させ、上記ベルマウス６全体の形状を非軸対称形状にすると、通風抵抗が大きい側からの流れがスムーズになって逆流の発生を防止することができ、同様に送風時の騒音を低減することができる。
【００６９】
（実施の形態４）
図１３は、本願発明の送風機を適用して構成した本願発明の実施の形態４に係る空気調和機用室外機の構成を示している。
【００７０】
さらに、前述のような空気吹出側の下方側が閉塞し、上方側が開放した本体ケーシング１内の下方側閉塞部において上記斜流ファン５の翼５ａの先端と上記ベルマウス６の空気吸込み用開口部６ａとの間に逆流領域が生じるのを防止するための手段としては、上記実施の形態１，２のように、上記斜流ファン５の下方側への吹出領域に対応して、空気吸込口３方向へ所定寸法突出したアール面形状の凸部１５を設けるだけでなく、例えば図１３に示すように、ベルマウス６全体の高さＬ自体は全体に一定（Ｌ1＝Ｌ2）であるが、その空気吸込用開口部６ａから空気吹出用開口部６ｃに到る曲率半径Ｒを上部側Ｒ1では大きく、下部側Ｒ2では小さく形成することによって、上部側に比べて下部側での翼５ａとベルマウス６の空気吸込用開口部６ａおよびファンガイド口部６ｂ壁面との隙間を小さくして逆流を防止する一方、上部側での空気の吸込を促進するようにしても良い。
【００７１】
このように、本体ケーシング１内の斜流ファン５と空気吹出口１３との位置関係により、その翼部５ａ内の流れのパターンが上下方向で異なるような場合、上記のようにベルマウス６の空気吸込用開口部６ａおよびファンガイド口部６ｂと翼５ａとの隙間の大きさを、曲率半径Ｒの変更により、その位置での流れのパターンに応じて変化させ、上記ベルマウス６吹出側の流れを非軸対称形状にすると、通風抵抗が大きい下方側からの流れがスムーズになって逆流の発生を防止することができる一方、上方側の吸込み流速が促進されて、より有効に送風時の騒音を低減することができる。
【００７２】
（実施の形態５）
図１４および図１５は、本願発明の送風機を適用して構成した本願発明の実施の形態５に係る空気調和機用床置型室内機の構成を示している。この実施の形態では、実施の形態２のものと同様の構成を基本として床置型の室内機を構成し、その空気吹出口１３ｃが本体ケーシング１の上部側前面に形成されており、それに対応して実施の形態２のもののようにベルマウス６下部の略全体（略１６０°の範囲）に凸部１５を設けたことを特徴とするものである。
【００７３】
図中、符号１は当該室内機の本体ケーシングであり、該本体ケーシング１は前後方向に薄く、左右方向の幅よりも上下方向の長さが少し長い箱型形状のものに構成されている。そして、その前面側には向かって右側の機械室２′部分を除いて略全面に空気吸込口３が形成され、該空気吸込口３の内側には空気熱交換器４が、その全面に対応して設けられている。
【００７４】
上記空気吸込口３は、上記空気熱交換器４の背後に位置して設けられた斜流ファン５のベルマウス６の空気吸込用開口部６ａからファンガイド口部６ｂ方向に略水平に連続している。そして、上記ベルマウス６のファンガイド口部６ｂ内に斜流ファン５の翼部５ａが回転可能に設けられ、そのハブ部５ｂがファンモータ７のモータ軸７ａを介して軸支されている。またベルマウス６は、縦壁構造の仕切板１６に取付けられている。
【００７５】
ファンモータ７は、上記本体ケーシング１の背面板１ａの略中央部に取付けられている。また、上記斜流ファン５と背面板１ａとの間には、図示のように、上記ベルマウス６および仕切板１６と上記背面板１ａの間で上記ベルマウス６の空気吹出用開口部６ｃから上方側へ延びる空気吹出通路１１が形成されている。この空気吹出通路１１は、上記空気熱交換器４および仕切板１６上部の水平方向の仕切板１ｃ背後の開口部１３ｂを介し、上記仕切板１ｃと上記本体ケーシング１の上面１ｂとの間の空気吹出空間を経て上記本体ケーシング１の上部前面側に形成された空気吹出口１３に対してアングル状に連続せしめられている。
【００７６】
したがって、該構成では、上記斜流ファン５が回転駆動されると、該斜流ファン５により上記空気吸込口３から空気が吸込まれ、空気熱交換器４および斜流ファン５を介して下方側への吹出風を含む吹出流が上記空気吹出通路１１により上記ベルマウス６の空気吹出用開口部６ｃから空気吹出口１３の前方に、吹き出されるようになる。
【００７７】
そして、この実施の形態の場合、上記ベルマウス６の略下部全体（略１６０°の範囲）には、上記のような空気吹出側の下方側が閉塞し、本体ケーシング１の上面側のみが開放した本体ケーシング１内の下方側閉塞部において上記斜流ファン５の翼５ａの先端と上記ベルマウス６の空気吸込み用開口部６ａとの間に逆流領域が生じるのを防止するために、例えば図１４および図１５から理解されるように、上記実施の形態２のものと同様に上記空気吸込口３方向へ所定寸法ΔＬ突出したアール面形状の凸部１５が設けられている。この凸部１５の設置領域略１６０°は、例えば上記斜流ファン５の下方側への吹出領域に対応している。
【００７８】
このように、本体ケーシング１内の斜流ファン５と空気吹出口１３との位置関係により、その翼部５ａ内の流れのパターンが上下方向で異なるような場合、上記のように凸部１５を設けることによりベルマウス６の形状を、その位置での流れのパターンに応じて変化させ、上記ベルマウス６全体の形状を非軸対称形にすると、通風抵抗が大きい空気吹出通路１１下方側からの流れがスムーズになって逆流の発生を防止することができ、送風時の騒音を低減することができる。
【００７９】
なお、この実施の形態では、上記斜流ファン５と背面板１ａとの間には、前述の実施の形態１のような、下方側に所定幅の隙間９を残して上記本体ケーシング１の水平方向の仕切板１ｃ付近まで延びるセパレータが設けられていないが、もちろん該実施の形態においても、同様のセパレータを設け、該セパレータによって上記ベルマウス６および仕切板１６と上記背面板１ａとの間で上記ベルマウス６の空気吹出口６ｃから上方側へ延びる第１の空気吹出通路と上記ベルマウス６の空気吹出口６ｃから一旦下方に延び、その後、上記セパレータ下方の隙間から上方側へ延びる第２の空気吹出通路とを形成するようにしても良いことは言うまでもない。
【００８０】
（他の実施の形態）
以上の説明では、本願発明の送風機を例えば空気調和機用の室外機又は室内機に適用した場合について説明したが、本願発明の対象は、それらに限られるものではなく、例えばベルマウスを備え、かつ当該送風機の空気吹出し側周方向の流れが非軸対称の流れとなる通路構造の空気吹出通路に適用される送風機の全てを含むことは言うまでもない。
【００８１】
また同送風機は、上記のような斜流ファンに限らずプロペラファン等の軸流ファンであっても良いことは言うまでもない。
【図面の簡単な説明】
【００８２】
【図１】本願発明の送風機を適用して構成した本願発明の実施の形態１にかかる空気調和機用室外機の構成を示す正面方向の断面図である。
【図２】同室外機の側面方向の断面図である。
【図３】同室外機の送風機部分の正面図である。
【図４】同送風機部分の要部の断面図（図３のＢ−Ｂ）である。
【図５】同送風機部分の要部の断面図（図３のＡ−Ａ）である。
【図６】上記室外機の比較測定例の正面方向の断面図である。
【図７】上記室外機の他の比較測定例の正面方向の断面図である。
【図８】上記実施の形態の室外機の回転数および送風音低減効果を測定例と対比して示すグラフである。
【図９】上記実施の形態の室外機の回転数および送風音低減効果を風量との関係で示すグラフである。
【図１０】本願発明の送風機を適用して構成した本願発明の実施の形態２にかかる空気調和機用室外機の構成を示す正面方向の断面図である。
【図１１】同室外機の側面方向の断面図である。
【図１２】本願発明の送風機を適用して構成した本願発明の実施の形態３にかかる空気調和機用室外機の送風機部分の構成を示す側面方向の断面図である。
【図１３】本願発明の送風機を適用して構成した本願発明の実施の形態４にかかる室外機の送風機部分の側面方向の断面図である。
【図１４】本願発明の送風機を適用して構成した本願発明の実施の形態５にかかる空気調和機用床置型室内機の構成を示す正面方向の断面図である。
【図１５】同室内機の側面方向の断面図である。
【図１６】従来の送風機を適用して構成した第１の従来例にかかる空気調和機用室外機の構成を示す正面方向の断面図である。
【図１７】同室外機の側面方向の断面図である。
【図１８】従来の送風機を適用して構成した第２の従来例にかかる空気調和機用室外機の構成を示す正面方向の断面図である。
【図１９】同室外機の側面方向の断面図である。
【図２０】従来例の送風機部分における小風量時の送風状態を示す断面図である。
【図２１】同従来例の送風機部分における中風量時の送風状態を示す断面図である。
【図２２】同従来例の送風機部分における大風量時の送風状態を示す断面図である。
【図２３】同従来例の送風機の要部の構成を示す側面方向の断面図である。
【符号の説明】
【００８３】
１は本体ケーシング、３は空気吸込口、４は熱交換器、５は斜流ファン、５ａは翼、６はベルマウス、６ａは空気吸込用開口部、６ｂはファンガイド口部、６ｃは空気吹出用開口部、７はファンモータ、１０はセパレータ、１１は空気吹出通路、１１ａは第１の空気吹出通路、１２ａは第２の空気吹出通路である。
【図１】
0003582366.tif 000002
【図２】
0003582366.tif 000003
【図３】
0003582366.tif 000004
【図４】
0003582366.tif 000005
【図５】
0003582366.tif 000006
【図６】
0003582366.tif 000007
【図７】
0003582366.tif 000008
【図８】
0003582366.tif 000009
【図９】
0003582366.tif 000010
【図１０】
0003582366.tif 000011
【図１１】
0003582366.tif 000012
【図１２】
0003582366.tif 000013
【図１３】
0003582366.tif 000014
【図１４】
0003582366.tif 000015
【図１５】
0003582366.tif 000016
【図１６】
0003582366.tif 000017
【図１７】
0003582366.tif 000018
【図１８】
0003582366.tif 000019
【図１９】
0003582366.tif 000020
【図２０】
0003582366.tif 000021
【図２１】
0003582366.tif 000022
【図２２】
0003582366.tif 000023
【図２３】
0003582366.tif 000024